(57)【要約】      （修正有）【課題】自動的に蓋及び便座のクッションを開閉作動する、画像認識部を設けたスマートトイレを提供する。【解決手段】ユーザーに面する側に画像認識チップ２を搭載し、トイレ内部にはコントローラー３と２つの駆動部３１、３２を装備し、画像認識チップはコントローラーに電気的に接続されて２つの駆動部に接続されて個々の動作を制御し、第１の駆動部３１はトイレの蓋１１の自動昇降を制御するために、第２の駆動部３２は便座クッションリング１２を制御して自動的に上げ下げするために使用され、画像認識チップは正面以外の画像であることを検出するとコントローラーに信号を送信し、第１の駆動部を作動させてトイレの蓋を持ち上げ、クッションリングに座って使用できるようにし、トイレの前にいるユーザーの正面画像を検出すると、立ったまま使用できるように蓋とクッションリングを持ち上げる。【選択図】図１
0003232709.tif 000002
【実用新案登録請求の範囲】
【請求項１】
トイレ本体構造を含み、
トイレには、持ち上げ可能なトイレの蓋と便座のクッションリングがあり、
ユーザーの正面構造に面するトイレの側面には、画像認識チップがあり、
前記画像認識チップには、トイレの正面を向くように設定されたカメラレンズがあり、
前記トイレの中にはコントローラーがあり、
前記コントローラーは、それぞれ第一の駆動部と第二の駆動部に接続され、２つの個々の作動を個別に制御でき、
前記第一の駆動部は、トイレの蓋の軸と組み合わされて、トイレの蓋の昇降を制御し、
第二の駆動部は、便座のクッションリングの軸と組み合わされて、クッションリングの昇降を制御し、
画像認識チップによって画像の結果を検出した後、信号はコントローラーに送信され、コントローラーは、信号に応じて第一の駆動部を起動するまたは第一の駆動部と第二の駆動部を同時に起動して、トイレの蓋とクッションリングをそれぞれ上下に駆動する、
を含むことを特徴とする画像認識付きの自動開閉蓋を有するスマートトイレ。
【請求項２】
画像認識チップは顔認識モードを採用し、エッジコンピューティングは、画像に人間の顔が含まれているかどうかを判断するために使用され、対応する信号が送信される請求項１に記載の画像認識付きの自動開閉蓋を有するスマートトイレ。
【考案の詳細な説明】
【技術分野】
【０００１】
本考案は、画像認識による自動的にトイレの蓋及びクッションを開閉するトイレに関し、特に、画像認識分析と判断により、トイレの蓋を個別に、または便座のクッションリングと一緒に持ち上げるスマートホームで使用するスマートトイレを形成するものに関する。
【背景技術】
【０００２】
現在、トイレを使用しないときは、臭いが拡散しないように正しい方法でトイレの蓋を閉め、使用したいときだけ蓋を開ける。既存のトイレの構造のほとんどは、人々がそれらを使用したいとき、最初に手でトイレの蓋を持ち上げなければならず、これは不便であり、汚れた手が心配である。
男性が立ったまま排尿したい場合は、トイレの蓋と便座の両方を手で持ち上げる必要があり、手が汚れたり、細菌と接触したりする可能性が高くなる。
赤外線検知を利用して、ユーザーが近づくと自動的に蓋を上げる自動蓋開閉トイレ構造が改良されていることが知られる。ただし、便座のクッションリングを操作する設計はなく、男性ユーザーは手で触れて操作する必要があるため、理想的ではない。さらに、赤外線センシングを使用したこの設計は、しばしば誤動作を引き起こすことに加えて、また、反射などの衣服素材の性質上、感知が不安定になる場合がありますので、デザインの改善が必要です。
【先行技術文献】
【特許文献】
【０００３】
【特許文献１】特開２０２０−６９２０５号公報
【考案の概要】
【考案が解決しようとする課題】
【０００４】
本考案の課題は、主にユーザーの正面構造に面するトイレの側面に、自動的に蓋及び便座のクッションを開閉作動する画像認証部を設けたトイレを提供することである。
【課題を解決するための手段】
【０００５】
画像認識チップを搭載し、トイレ内部にはコントローラーと２台の駆動部を搭載する。画像認識チップはコントローラーに電気的に接続されており、コントローラーは２つの駆動部に接続されて個々の動作を制御する。第一の駆動部は、トイレの蓋の自動昇降を制御するために使用され、第二の駆動部は、便座のクッションリングを制御して自動的に上げ下げするために使用される。
画像認識チップは、トイレの前のユーザーが正面以外の画像であることを検出すると、コントローラーに信号を送信する。コントローラーは第一の駆動部を作動させてトイレの蓋を持ち上げ、ユーザーがクッションリングに座って使用できるようにする。
画像認識チップは、トイレの前にいるユーザーの正面画像を検出すると、別の信号をコントローラーに送信する。コントローラーは第二の駆動部を同時に作動させ、トイレの蓋とクッションリングを持ち上げる。
【考案の効果】
【０００６】
ユーザーが手で触れることなく立っている男性が使用でき、安全性と衛生性の利便性を実現し、要件を満たすスマートな生活環境を達成できる。
【図面の簡単な説明】
【０００７】
【図１】本考案の実施例のブロック構造の概略図である。
【図２】実施例の使用していないときの３次元斜視図である。
【図３】実施例の使用状況を示す３次元斜視図である。
【図４】実施例の使用状況を示す３次元斜視図である。
【考案を実施するための形態】
【０００８】
本考案の好適な実施例を図面に沿って説明する。
図１と図２を示すように、本考案の実施例は、トイレ１の本体構造を含み、画像認識部と自動的に蓋が開閉する所謂スマートトイレである。トイレ１は、持ち上げ可能なトイレの蓋１１および便座のクッションリング１２を有し、画像認識チップ２は、ユーザーの正面構造に面するトイレ１の適切な位置に提供され、画像認識チップ２は、トイレ１の正面に面するカメラレンズ２１を有し、図２に示すように、またはトイレの他の適切な正面位置にすることができ、トイレ１の中にコントローラー３があり、コントローラー３は、それぞれ第一の駆動部（パワーグループ）３１および第二の駆動部（パワーグループ）３２に接続され、それぞれ２つの個々の動作を制御することができる。前述の第一の駆動部３１は、トイレの蓋１１の軸と組み合わされ、トイレの蓋１１の昇降を制御する。第二の駆動部（パワーグループ）３２は、便座のクッションリング１２の軸と組み合わされ、クッションリング１２の昇降を制御する。
【０００９】
画像認識チップ２が、カメラレンズ２１がトイレ１の前のユーザーの非正面画像をキャプチャすることを検出したとき、図３に示すように、信号がコントローラー３に送信される。コントローラー３は、第一の駆動部３１を作動させ、トイレの蓋１１を持ち上げ、ユーザーがクッションリング１２に座ることを可能にする。
画像認識チップ２がトイレ１の前のユーザーが正面画像であることを検出すると、図４に示すように、別の信号がコントローラー３に送信され、コントローラー３に第一の駆動部３１および第二の駆動部３２を同時に作動させて、トイレの蓋１１およびクッションリング１２を持ち上げる。したがって、立っている男性でも使用できるので、使用方法に関係なく、トイレの蓋１１やクッションリング１２を手で操作する必要がない。
このように、ユーザーの正面か背面であるかを自動的に判別して作動するので、便利であることに加えて、さらに汚れやバクテリアとの接触による望ましくない結果を回避することもできる。そして、使用が完了して、ユーザーが離れることを検出すると、トイレの蓋１１とクッションリング１２を閉じて元の状態に戻すように再び信号を送信する。
したがって、画像認識を備えた自動的に開閉する蓋（及びクッション)を備えたトイレの革新的なデザインを実現した非常に自動的で衛生的、且つ実用的で進歩的なスマートトイレです。
【００１０】
本考案の実施例の画像認識チップ２は、主に顔認識技術を使用し、データの生成元、または、その近くでのデータ処理を容易にするソリューションであるエッジコンピューティングモードを採用する。キャプチャされた画像に人間の顔が含まれているかどうかを判断し、対応する信号をコントローラーに送信して、さまざまな駆動部にリンクして特定の作動（アクション）を実行する。クラウドネットワーク全体に接続する必要がないため、大幅な省電力化が実現する。たとえば、米国特許番号５０６４８２２８１のシングルチップを使用すると、非常に正確な識別を実現し、対応するトイレの自動可動蓋を制御してインテリジェントな効果を実現できる。さらに、この作成では顔認識を使用するため、メモリストレージデータベースで比較する必要はない。また、使用中に画像が保存されることはない。これにより、プライバシーの問題を回避でき、全体として斬新で進歩的である。
【符号の説明】
【００１１】
１        トイレ
１１    トイレの蓋
１２    便座のクッションリング
２        画像認識チップ
２１    カメラレンズ
３        コントローラー
３１    第一の駆動部
３２  第二の駆動部
【図１】
0003232709.tif 000003
【図２】
0003232709.tif 000004
【図３】
0003232709.tif 000005
【図４】
0003232709.tif 000006